(57)【要約】【課題】友人が動画をプロフィールビューの背景にアップロードした場合、該当の友人を友人リストを用いて推薦する技術を提供する。【解決手段】インスタントメッセージングサービス内で少なくとも１つのアカウントと関わった第２アカウントのためのメッセンジャーアプリケーションは、サーバから少なくとも１つのアカウントのうち動画を登録した少なくとも１つの第１アカウントのリストを受信し、少なくとも１つのアカウントとリストと区別して少なくとも１つの第１アカウントのリストを表示するリストビューを用いて第１アカウントを推薦する。【選択図】図２
2020173805.tif 000002
【特許請求の範囲】
【請求項１】
インスタントメッセージングサービス内で少なくとも１つのアカウントと関わった第２アカウントのためのメッセンジャーアプリケーションの動作方法において、
前記インスタントメッセージングサービスを提供するサーバから、前記少なくとも１つのアカウントのうち、プロフィールビューを介して露出される動画を登録した少なくとも１つの第１アカウントのリストを受信するステップと、
前記少なくとも１つのアカウントのリストと区別して、前記少なくとも１つの第１アカウントのリストを表示するリストビューを用いて前記少なくとも１つの第１アカウントを前記第２アカウントのユーザに推薦するステップと、
を含む、
メッセンジャーアプリケーションの動作方法。
【請求項２】
前記リストビューを用いて推薦される前記少なくとも１つの第１アカウントのリストのいずれか１つに対する選択が入力されるステップと、
前記選択されたアカウントに対応して登録された動画を背景に再生する前記選択されたアカウントのプロフィールビュー、あるいは前記選択されたアカウントに対応して登録された動画を再生する再生ビューを表示するステップと、
をさらに含む、請求項１に記載のメッセンジャーアプリケーションの動作方法。
【請求項３】
前記プロフィールビューあるいは前記再生ビューが表示される間に、予め決定された複数の方向のいずれか１つの方向に対応する入力を受信するステップと、
前記少なくとも１つの第１アカウントのリスト内の前記選択されたアカウントと前記方向に隣接するアカウントを判別するステップと、
前記判別されたアカウントに対応して登録された動画を背景に再生する前記判別されたアカウントのプロフィールビュー、あるいは前記判別されたアカウントに対応して登録された動画を再生する再生ビューのいずれか１つを表示するステップと、
をさらに含む、請求項２に記載のメッセンジャーアプリケーションの動作方法。
【請求項４】
前記リストビューは、
少なくとも１つの第１タイプのリスト元素を用いて、前記少なくとも１つのアカウントを表示し、
第２タイプのリスト元素を用いて、前記少なくとも１つの第１アカウントのリストを表示する、請求項１に記載のメッセンジャーアプリケーションの動作方法。
【請求項５】
前記プロフィールビューを表示する場合、前記表示するステップは、
前記動画の再生に関連する予め決定された条件の満足可否を判断するステップと、
前記予め決定された条件が満たされるという判断に応じて、前記選択されたアカウントのプロフィールビューの背景に該当動画を自動で繰り返し再生するステップと、
を含む、請求項３に記載のメッセンジャーアプリケーションの動作方法。
【請求項６】
前記予め決定された条件を満たさないという判断に応じて、前記選択されたアカウントのプロフィールビューの背景に前記選択されたアカウントによって設定された静止映像を表示するステップをさらに含む、請求項５に記載のメッセンジャーアプリケーションの動作方法。
【請求項７】
前記少なくとも１つの第１アカウントは、予め決定された時間区間内にプロフィールビューの背景に動画を登録した１つ又はそれ以上のアカウントを含む、請求項１に記載のメッセンジャーアプリケーションの動作方法。
【請求項８】
前記少なくとも１つの第１アカウントは、前記インスタントメッセージングサービス内で前記第２アカウントと友人関係であるアカウントを含む、請求項１に記載のメッセンジャーアプリケーションの動作方法。
【請求項９】
前記推薦するステップは、
予め決定された整列の順に応じて、前記少なくとも１つの第１アカウントを整列するステップと、
前記整列結果に基づいて、前記リストビューを用いて前記少なくとも１つの第１アカウントを表示するステップと、
を含む、請求項１に記載のメッセンジャーアプリケーションの動作方法。
【請求項１０】
前記予め決定された整列の順は、
前記少なくとも１つの第１アカウントによって登録された動画に関連する整列の順と、
前記少なくとも１つの第１アカウントと交換したメッセージに関する整列の順と、
のうち少なくとも１つを含む、請求項９に記載のメッセンジャーアプリケーションの動作方法。
【請求項１１】
前記少なくとも１つの第１アカウントは、登録された動画を他の端末に推薦することに同意したアカウントを含む、請求項１に記載のメッセンジャーアプリケーションの動作方法。
【請求項１２】
前記推薦するステップは、前記少なくとも１つの第１アカウントのうち同一アカウントで予め決定された時間内に複数の動画が登録されている場合、最新登録動画を基準として前記該当アカウントを推薦するステップを含む、請求項１に記載のメッセンジャーアプリケーションの動作方法。
【請求項１３】
前記少なくとも１つの第１アカウントのリストを表示するタイプのリスト元素を用いて、前記第２アカウントのプロフィールビューの背景に動画を登録するように誘導するインターフェースを表示するステップをさらに含む、請求項１に記載のメッセンジャーアプリケーションの動作方法。
【請求項１４】
前記第２アカウントのプロフィールビューの編集機能及び編集されたプロフィールビューに対するプレビュー機能を提供する編集ビューを表示するステップをさらに含む、請求項１に記載のメッセンジャーアプリケーションの動作方法。
【請求項１５】
インスタントメッセージングサービスを提供するサーバの動作方法において、
少なくとも１つの第１アカウントの端末からプロフィールビューを介して露出される動画の登録要求を受信するステップと、
前記少なくとも１つの第１アカウントそれぞれに対応して登録要求された動画を登録するステップと、
前記インスタントメッセージングサービス内で前記少なくとも１つの第１アカウントそれぞれと関わった少なくとも１つの第２アカウントを判別するステップと、
前記少なくとも１つの第２アカウントそれぞれの端末に、前記インスタントメッセージングサービス内の該当第２アカウントと関わった少なくとも１つのアカウントのリストと区別される少なくとも１つの第１アカウントのリストを送信するステップと、
を含む、サーバの動作方法。
【請求項１６】
前記少なくとも１つの第２アカウントの端末のいずれか１つから、該当第２アカウントの端末に送信された少なくとも１つの第１アカウントのリストのいずれか１つに対する選択を受信するステップと、
前記選択されたアカウントに対応して登録された動画を背景に再生する前記選択されたアカウントのプロフィールビュー、あるいは前記選択されたアカウントに対応して登録された動画を再生する再生ビューのいずれか１つを前記該当第２アカウントの端末に提供するステップと、
をさらに含む、請求項１５に記載のサーバの動作方法。
【請求項１７】
前記該当第２アカウントの端末から、予め決定された複数の方向のいずれか１つの方向を指示する入力を受信するステップと、
前記該当第２アカウントの端末に送信された少なくとも１つの第１アカウントのリスト内の前記選択されたアカウントと前記方向に隣接するアカウントを判別するステップと、
前記判別されたアカウントに対応して登録された動画を背景に再生する前記判別されたアカウントのプロフィールビュー、あるいは前記判別されたアカウントに対応して登録された動画を再生する再生ビューのいずれか１つを前記該当第２アカウントの端末に提供するステップと、
をさらに含む、請求項１６に記載のサーバの動作方法。
【請求項１８】
ハードウェアと結合して請求項１〜請求項１７のいずれか１項に記載の方法を実行させるために媒体に格納されたコンピュータプログラム。
【発明の詳細な説明】
【技術分野】
【０００１】
以下の実施形態は、動画背景を有するプロフィールビューを提供するインスタントメッセージングサービスに関し、より詳しくは、メッセンジャーの友人リストを用いて動画をプロフィールビューの背景として登録した友人を推薦する方法及び装置に関する。
【背景技術】
【０００２】
情報通信技術の飛躍的な発展及びスマート機器の等張に伴って、これを用いた様々な形態のＳＮＳ（Ｓｏｃｉａｌ  Ｎｅｔｗｏｒｋ  Ｓｅｒｖｉｃｅ）サービスが用いられている。特に、複数のユーザがチャットルームを開設し、開設されたチャットルーム内でリアルタイムにメッセージをやりとりするインスタントメッセージングアプリケーションが幅広く用いられている。このようなインスタントメッセージングアプリケーションを通したチャットサービスは、ユーザの要求に合わせてもっと様々な機能を有するように進化しつつある。
【０００３】
従来技術によると、端末に格納されている連絡先情報及び／又はインスタントメッセージングサービスのアカウントに基づいて友人リストが生成され、友人リストは、各ユーザによって設定されたプロフィールイメージを用いて表示される。
【０００４】
インスタントメッセージングアプリケーションを介して提供可能なサービス領域が拡大することで、単にプロフィールイメージを提供すること以上に、各ユーザを表現するプロフィールビューの活用の可能性も大きくなっている。
【発明の概要】
【発明が解決しようとする課題】
【０００５】
以下で説明する実施形態は、友人が動画をプロフィールビューの背景にアップロードした場合、該当の友人を友人リストを用いて推薦する技術を提供することにある。
【０００６】
実施形態は友人リストを介して推薦された選択される場合、該当の友人が設定した動画を背景に再生するプロフィールビューを表示する技術を提供することにある。
【０００７】
実施形態は、ユーザのプロフィールビューの背景に動画を設定するなど、プロフィールビューを様々に編集する技術を提供することにある。
【課題を解決するための手段】
【０００８】
一実施形態に係るインスタントメッセージングサービス内で少なくとも１つのアカウントと関わった第２アカウントのためのメッセンジャーアプリケーションの動作方法は、前記インスタントメッセージングサービスを提供するサーバから、前記少なくとも１つのアカウントのうち、プロフィールビューを介して露出される動画を登録した少なくとも１つの第１アカウントのリストを受信するステップと、前記少なくとも１つのアカウントのリストと区別して、前記少なくとも１つの第１アカウントのリストを表示するリストビューを用いて前記少なくとも１つの第１アカウントを前記第２アカウントのユーザに推薦するステップとを含む。
【０００９】
前記メッセンジャーアプリケーションの動作方法は、前記リストビューを用いて推薦される前記少なくとも１つの第１アカウントのリストのいずれか１つに対する選択が入力されるステップと、前記選択されたアカウントに対応して登録された動画を背景に再生する前記選択されたアカウントのプロフィールビュー、あるいは前記選択されたアカウントに対応して登録された動画を再生する再生ビューを表示するステップとをさらに含み得る。
【００１０】
前記リストビューは、少なくとも１つの第１タイプのリスト元素を用いて、前記少なくとも１つのアカウントを表示し、第２タイプのリスト元素を用いて、前記少なくとも１つの第１アカウントのリストを表示してもよい。
【００１１】
前記プロフィールビューを表示する場合、前記表示するステップは、前記動画の再生に関連する予め決定された条件の満足可否を判断するステップと、前記予め決定された条件が満たされるという判断に応じて、前記選択されたアカウントのプロフィールビューの背景に該当動画を自動で繰り返し再生するステップとを含み得る。
【００１２】
前記メッセンジャーアプリケーションの動作方法は、前記予め決定された条件を満たさないという判断に応じて、前記選択されたアカウントのプロフィールビューの背景に前記選択されたアカウントによって設定された静止映像を表示するステップをさらに含み得る。
【００１３】
前記少なくとも１つの第１アカウントは、予め決定された時間区間内にプロフィールビューの背景に動画を登録した１つ又はそれ以上のアカウントを含み得る。
【００１４】
前記少なくとも１つの第１アカウントは、前記インスタントメッセージングサービス内で前記第２アカウントと友人関係であるアカウントを含み得る。
【００１５】
前記推薦するステップは、予め決定された整列の順に応じて、前記少なくとも１つの第１アカウントを整列するステップと、前記整列結果に基づいて、前記リストビューを用いて前記少なくとも１つの第１アカウントを表示するステップとを含み得る。
【００１６】
前記予め決定された整列の順は、前記少なくとも１つの第１アカウントによって登録された動画に関連する整列の順と、前記少なくとも１つの第１アカウントと交換したメッセージに関する整列の順と、のうち少なくとも１つを含み得る。
【００１７】
前記少なくとも１つの第１アカウントは、登録された動画を他の端末に推薦することに同意したアカウントを含み得える。
【００１８】
前記推薦するステップは、前記少なくとも１つの第１アカウントのうち同一アカウントで予め決定された時間内に複数の動画が登録されている場合、最新登録動画を基準として前記該当アカウントを推薦するステップを含み得る。
【００１９】
前記メッセンジャーアプリケーションの動作方法は、前記少なくとも１つの第１アカウントのリストを表示するタイプのリスト元素を用いて、前記第２アカウントのプロフィールビューの背景に動画を登録するように誘導するインターフェースを表示するステップをさらに含み得る。
【００２０】
前記メッセンジャーアプリケーションの動作方法は、前記第２アカウントのプロフィールビューの編集機能及び編集されたプロフィールビューに対するプレビュー機能を提供する編集ビューを表示するステップをさらに含み得る。
【００２１】
一実施形態に係るインスタントメッセージングサービスを提供するサーバの動作方法は、少なくとも１つの第１アカウントの端末からプロフィールビューを介して露出される動画の登録要求を受信するステップと、前記少なくとも１つの第１アカウントそれぞれに対応して登録要求された動画を登録するステップと、前記インスタントメッセージングサービス内で前記少なくとも１つの第１アカウントそれぞれと関わった少なくとも１つの第２アカウントを判別するステップと、前記少なくとも１つの第２アカウントそれぞれの端末に、前記インスタントメッセージングサービス内の該当第２アカウントと関わった少なくとも１つのアカウントのリストと区別される少なくとも１つの第１アカウントのリストを送信するステップとを含む。
【００２２】
前記サーバの動作方法は、前記少なくとも１つの第２アカウントの端末のいずれか１つから、該当第２アカウントの端末に送信された少なくとも１つの第１アカウントのリストのいずれか１つに対する選択を受信するステップと、前記選択されたアカウントに対応して登録された動画を背景に再生する前記選択されたアカウントのプロフィールビュー、あるいは前記選択されたアカウントに対応して登録された動画を再生する再生ビューのいずれか１つを前記該当第２アカウントの端末に提供するステップとをさらに含み得る。
【００２３】
前記サーバの動作方法は、前記該当第２アカウントの端末から、予め決定された複数の方向のいずれか１つの方向を指示する入力を受信するステップと、前記該当第２アカウントの端末に送信された少なくとも１つの第１アカウントのリスト内の前記選択されたアカウントと前記方向に隣接するアカウントを判別するステップと、前記判別されたアカウントに対応して登録された動画を背景に再生する前記判別されたアカウントのプロフィールビュー、あるいは前記判別されたアカウントに対応して登録された動画を再生する再生ビューのいずれか１つを前記該当第２アカウントの端末に提供するステップとをさらに含み得る。
【発明の効果】
【００２４】
本発明によると、友人が動画をプロフィールビューの背景にアップロードした場合、該当の友人を友人リストを用いて推薦する技術を提供することができる。
本発明によると、友人リストを介して推薦された選択される場合、該当の友人が設定した動画を背景に再生するプロフィールビューを表示する技術を提供することができる。
【００２５】
本発明によると、ユーザのプロフィールビューの背景に動画を設定するなど、プロフィールビューを様々に編集する技術を提供することができる。
【図面の簡単な説明】
【００２６】
【図１】一実施形態に係るメッセージングサービスサーバとユーザとの間の関係を概略的に示す図である。
【図２】一実施形態に係るメッセンジャーアプリケーションの動作方法を説明するためのフローチャートである。
【図３】一実施形態に係るサーバの動作方法を説明するためのフローチャートである。
【図４】一実施形態に係るメッセンジャーアプリケーションの画面を説明するための図である。
【発明を実施するための形態】
【００２７】
実施形態に対する特定な構造的又は機能的な説明は単なる例示のための目的として開示されたものとして、様々な形態に変更される。したがって、実施形態は特定な開示形態に限定されるものではなく、本明細書の範囲は技術的な思想に含まれる変更、均等物ないし代替物を含む。
【００２８】
第１又は第２などの用語を複数の構成要素を説明するために用いることがあるが、このような用語は１つの構成要素を他の構成要素から区別する目的としてのみ解釈されなければならない。例えば、第１構成要素は第２構成要素と命名することができ、同様に第２構成要素は第１構成要素にも命名することができる。
【００２９】
いずれかの構成要素が他の構成要素に「連結」されているか「接続」されていると言及されたときには、その他の構成要素に直接的に連結されているか又は接続されているが、中間に他の構成要素が存在し得るものと理解されなければならない。
【００３０】
本明細書で用いられる用語は、単に特定の実施形態を説明するために使用されたものであり、本発明を限定しようとする意図はない。
【００３１】
単数の表現は、文脈上、明白に異なる意味をもたない限り複数の表現を含む。本明細書において、「含む」又は「有する」等の用語は明細書上に記載した特徴、数字、ステップ、動作、構成要素、部品又はこれらを組み合わせたものが存在することを示すものであって、１つ又はそれ以上の他の特徴や数字、ステップ、動作、構成要素、部品、又はこれを組み合わせたものなどの存在又は付加の可能性を予め排除しないものとして理解しなければならない。
【００３２】
異なるように定義さがれない限り、技術的であるか又は科学的な用語を含むここで用いる全ての用語は、本実施形態が属する技術分野で通常の知識を有する者によって一般的に理解されるものと同じ意味を有する。一般的に用いられる予め定義された用語は、関連技術の文脈上で有する意味と一致する意味を有するものと解釈すべきであって、本明細書で明白に定義しない限り、理想的又は過度に形式的な意味として解釈されることはない。
【００３３】
以下、実施形態を添付の図面を参照して詳細に説明する。各図面に提示される同一な参照符号は同一な部材を示す。
【００３４】
図１は、一実施形態に係るインスタントメッセージングサービスを提供するメッセージングサービスサーバとユーザとの間の関係を概略的に示す図である。
【００３５】
図１を参照すると、一実施形態に係るインスタントメッセージングサービスは、第１ユーザ１０１、第２ユーザ１０２、及びメッセージングサービスサーバ１００を主体にして含むことができる。第１ユーザ１０１及び第２ユーザ１０２は、インスタントメッセージングサービスのクライアントを意味する。第１ユーザ１０１及び第２ユーザ１０２は、メッセンジャーアプリケーションがインストールされた端末を介してメッセージングサービスサーバ１００に接続することができる。
【００３６】
第１ユーザ１０１、第２ユーザ１０２の端末は、コンピュータ、ＵＭＰＣ（Ｕｌｔｒａ  Ｍｏｂｉｌｅ  ＰＣ）、ワークステーション、ネットブック（ｎｅｔ−ｂｏｏｋ）、ＰＤＡ（Ｐｅｒｓｏｎａｌ  Ｄｉｇｉｔａｌ  Ａｓｓｉｓｔａｎｔｓ）、ポータブル（ｐｏｒｔａｂｌｅ）コンピュータ、ウェブタブレット（ｗｅｂ  ｔａｂｌｅｔ）、無線電話機（ｗｉｒｅｌｅｓｓ  ｐｈｏｎｅ）、モバイルフォン（ｍｏｂｉｌｅ  ｐｈｏｎｅ）、スマートフォン（ｓｍａｒｔ  ｐｈｏｎｅ）、ｅ−ブック（ｅ−ｂｏｏｋ）、ＰＭＰ（ｐｏｒｔａｂｌｅ  ｍｕｌｔｉｍｅｄｉａ  ｐｌａｙｅｒ）、携帯用ゲーム機、ナビゲーション（ｎａｖｉｇａｔｉｏｎ）装置、ブラックボックス（ｂｌａｃｋ  ｂｏｘ）又はデジタルカメラ（ｄｉｇｉｔａｌ  ｃａｍｅｒａ）のような電子装置のうちの１つであって、メッセージングサービスサーバ１００に関するメッセンジャーアプリケーションのインストール及び実行可能な全てのユーザ装置を意味する。ここで、ユーザ装置は、メッセンジャーアプリケーションの制御下で、サービス画面の構成、データ入力、データ送受信、データ格納など、サービス全般の動作を行うことができる。
【００３７】
メッセージングサービスサーバ１００は、クライアントを対象にメッセンジャーサービスを提供するサービスプラットフォームの役割をする。メッセンジャーアプリケーションは、基本的にテキストを作成して送信する機能、マルチメディアコンテンツ（音声、写真動画など）を送信する機能、メッセージ通知機能、日程機能などを行うために運営するコンピュータ、データベース、モジュール又はプログラムなどを含んでもよい。
【００３８】
以下で詳細に説明するが、一実施形態に係るインスタントメッセージングサービスは、メッセンジャーアプリケーション上で提供されるプロフィールビューの活用度を向上させる方式を提供する。プロフィールビューは、特定ユーザのプロフィールを表現する画面で、該当ユーザのプロフィールイメージ及びプロフィール情報を含む。一実施形態に係るプロフィールビューは、単にプロフィールイメージとプロフィール情報のみを含んでいるだけではなく、さらに、該当ユーザを様々に表現するアイテムをさらに含むことができる。
【００３９】
例えば、ユーザは、プロフィールビューの背景に動画を設定することができる。特定ユーザがプロフィールビューの背景に動画を設定する場合、該当ユーザと友人関係である他のユーザに、該当ユーザのプロフィールビューの背景が動画に設定されたことを知らせる推薦情報が提供される。推薦情報は、他のユーザの端末で友人リストを表示するリストビュー（ｌｉｓｔ  ｖｉｅｗ）を介して表示されてもよい。リストビューは、リスト資料構造（ｌｉｓｔ  ｄａｔａ  ｓｔｒｕｃｔｕｒｅ）に格納されているデータノードを表示するビューインターフェース（ｖｉｅｗ  ｉｎｔｅｒｆａｃｅ）であって、例えば、リストビューは、リスト資料構造に格納されているデータノードに対応するリスト元素（ｌｉｓｔ  ｅｌｅｍｅｎｔｓ）を含んでもよい。一例として、リストビューは、友人リストに含まれた複数の友人を行単位に区別して表示してもよい。この場合、友人リストに含まれている複数の友人の情報は、それぞれリストの資料構造内の該当するデータノードに格納され、リストビューは、データノードに対応するリスト元素のそれぞれを用いて該当情報を表示することができる。リストビューから複数の友人を行単位に区別して表示するとき、それぞれの行が個別リストの元素に該当するものと理解されることができる。
【００４０】
以下で説明するが、推薦情報は、リストビュー内に予め決定された推薦領域を介して表示される。推薦領域は、一般的な友人リストとは区別される別途のリストを含む。一実施形態によれば、推薦領域は、一般的な友人リストのためのタイプのリスト元素（ｌｉｓｔ  ｅｌｅｍｅｎｔ）とは異なるタイプのリスト元素を用いて実現することができる。
【００４１】
そのため、実施形態は、インスタントメッセージングサービス上でプロフィールビューの活用度を向上させ、友人関係にあるユーザ間にプロフィールビューの背景として設定された動画を共有する機能を提供することができる。一実施形態によれば、予め決定された時間区間（例えば、２４時間あるいは今日など）内にプロフィールビューの背景に動画を登録した友人のみが推薦されるよう、サービスが運用されてもよい。また、一実施形態によれば、プロフィールビューの背景に設定可能な動画は、予め決定された大きさ（例えば、時間あるいは容量）以内の動画に制限される。プロフィールビューの背景として登録された動画が、推薦を介して自動で共有される機能（以下、「友人の登録動画推薦機能」）に関する詳細な事項については後述する。
【００４２】
以下、説明の便宜のために、プロフィールビューの背景に動画を登録した友人をリストビューを用いて推薦する実施形態を中心的に説明するが、プロフィールビューの背景以外にも、メッセージングサービス上の友人アカウントに関連して、プロフィールビューを介して表示される動画が登録されれば、該当の友人をリストビューを用いて推薦する場合などにも実施形態が拡張適用されることができる。
【００４３】
また、ユーザは、プロフィールビューを編集する編集ビューを用いてプロフィールビューを様々に編集することができる。編集ビューは、様々なアイテム（例えば、ミュージック、ステッカー、視覚的な効果など）をプロフィールビューに適用する編集機能を提供する。また、編集ビューは、ミュージック、ステッカー、視覚的な効果、背景のうち少なくとも二つが、予め組合わせられたセットアイテムを提供してもよい。編集ビューは、編集中にリアルタイムでプロフィールビューの編集結果を確認することのできるプレビュー機能を提供する。
【００４４】
一実施形態に係るメッセンジャーアプリケーションは、友人リスト内に予め決定された推薦領域を用いて、ユーザのプロフィールビューを編集するよう誘導するインターフェースを表示する。該当インターフェースが選択される場合、ユーザのプロフィールビューを編集する編集ビューが表示されたり、編集ビュー内でユーザのプロフィールビューの背景を動画に設定する画面が直ちに表示されてもよい。そのため、実施形態は、プロフィールビューの背景として設定された動画を容易に友人と共有しながらも、同時に、自身のプロフィールビューを容易に編集することのできる直観的なインターフェースを提供することができる。
【００４５】
以上で、説明の便宜のために「友人関係」を例にしたが、「友人関係」の他にも、予め設定された等級以上の関係についても実質的に同じく動作する。例えば、予め設定された等級は、対象アカウントとチャットした履歴があるか否か、対象アカウントと同一のグループチャットルームに参加中であるか否か、対象アカウントが企業アカウントである場合、該当のアカウントを購読中であるか否か、自身の友人が対象アカウントと友人関係であるか否かなど、様々な基準に基づいて決定されてもよい。
【００４６】
メッセンジャーアプリケーションはＰＣ環境は勿論、モバイル環境においても使用できるように具現され、独立的に動作するプログラム形態に具現されたり、あるいは特定アプリケーションのイン−アプリ（ｉｎ−ａｐｐ）形態に構成され、前記特定アプリケーション上で動作可能になるよう実現することができる。
【００４７】
本発明の一実施形態によれば、説明の便宜のために、第１ユーザ１０１と第２ユーザ１０２とを区分して示したが、第１ユーザ１０１、第２ユーザ１０２は互いに役割が変わって上述した作業を全て行ってもよい。
【００４８】
図面に図示していないが、一実施形態に係るメッセージングサービスサーバ１００は、通信部、メモリ部、及び制御部を含んでもよい。ただし、前述した構成要素が必須なものではなく、それよりも多くの構成要素を有したり、少ない構成要素を有するメッセージングサービスサーバ１００が実現されてもよい。
【００４９】
通信部は、第１ユーザ１０１の端末、及び第２ユーザ１０２の端末と有無線でデータをやり取りする電子装置、モジュール又はプログラムを含む。通信部で用いる通信規約は、例えば、ＣＤＭＡ（Ｃｏｄｅ  Ｄｉｖｉｓｉｏｎ  Ｍｕｌｔｉｐｌｅ  Ａｃｃｅｓｓ）通信、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）通信、あるいは、広帯域無線通信を含んでもよい。ここで、無線通信網として、無線ＬＡＮ（ＷＬＡＮ）、ワイファイ（Ｗｉ−Ｆｉ（登録商標））、ワイヤレスブロードバンド（Ｗｉｒｅｌｅｓｓ  Ｂｒｏａｄｂａｎｄ：Ｗｉｂｒｏ）、ワイマックス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ：Ｗｉｍａｘ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＩＥＥＥ８０２．１６、広帯域無線移動通信サービス（Ｗｉｒｅｌｅｓｓ  Ｍｏｂｉｌｅ  Ｂｒｏａｄｂａｎｄ  Ｓｅｒｖｉｃｅ：ＷＭＢＳ）などを含んでいる。また、近距離無線通信網として、ビーコン（Ｂｅａｃｏｎ）、ブルートゥース（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）、ＵＷＢ（Ｕｌｔｒａ  Ｗｉｄｅｂａｎｄ）、ジグビー（ＺｉｇＢｅｅ（登録商標））及びＺウェーブ（Ｚ−Ｗａｖｅ（登録商標））などを含んでいる。ただし、本発明がこれに限定されることはない。
【００５０】
メモリ部は、ＲＡＭ（Ｒａｎｄｏｍ  Ａｃｃｅｓｓ  Ｍｅｍｏｒｙ）のように制御部による実行のための動的情報、及び命令語を格納する動的格納デバイスを含んでもよい。ただし、本発明がこれに限定されることはない。また、メモリ部は、ＲＯＭ（Ｒｅａｄ  Ｏｎｌｙ  Ｍｅｍｏｒｙ）のように制御部による使用のための静的情報、及び命令語を格納する静的格納デバイスを含んでもよい。メモリ部は、揮発性メモリユニット又は不揮発性メモリユニットであってもよい。メモリ部は、また、磁気又は光ディスクのようなコンピュータで読み出し可能な記録媒体の更なるタイプであってもよい。
【００５１】
制御部は、メッセージングサービスサーバの動作全般を制御する。制御部は、任意のタイプの従来におけるプロセッサ、マイクロ・プロセッサ、又は、命令語を解釈して実行するプロセッシングロジックを含んでもよい。制御部は、高速インターフェースに結合されたディスプレイのような外部の入力／出力デバイス上にグラフィクユーザインターフェース（ＧＵＩ）のためのグラフィック情報を表示するため、メモリ内に格納された命令語を実行することができる。
【００５２】
制御部は、運営体制（ＯＳ）及び前記運営体制上で実行される１つ以上のメッセンジャーアプリケーションを実行する。また、制御部は、メッセンジャーアプリケーションの実行に応答して、データをアクセス、格納、操作、処理、及び生成してもよい。メッセンジャーアプリケーションは、ネットワークに接続されたコンピュータシステム上に分散し、分散した方法で格納されたり実行されてもよい。メッセンジャーアプリケーション及びデータは、１つ以上のコンピュータで読み出し可能な記録媒体に格納されてもよい。
【００５３】
一実施形態に係るユーザ端末は、通信部、制御部、メモリ部、ディスプレイ部及びメッセンジャーアプリケーション及びメッセージングサービスサーバと通信するためのインターフェース部を含む。前述したユーザ端末の構成要素が必須なものではなく、それよりも多くの構成要素を有したり、少ない構成要素を有するユーザ端末が実現されてもよい。
【００５４】
メッセンジャーアプリケーションは、メモリに格納されて制御部により実行されるよう構成され、インターフェース部を介してメッセージングサービスサーバから受信したプロフィールビューの背景として登録された動画をユーザ端末のディスプレイ部を介して表示する。
【００５５】
具体的に、通信部は、端末装置とデータをやりとりする電子装置、モジュール又はプログラムを含んでもよい。例えば、通信部は、近距離通信モジュール、ワイファイ通信モジュール、移動通信モジュールを含んでもよい。その他にも、ブルートゥース（ｂｌｕｅｔｏｏｔｈ）モジュール、赤外線通信（ＩｒＤＡ、ｉｎｆｒａｒｅｄ  ｄａｔａ  ａｓｓｏｃｉａｔｉｏｎ）モジュール、ＮＦＣ（Ｎｅａｒ  Ｆｉｅｌｄ  Ｃｏｍｍｕｎｉｃａｔｉｏｎ）モジュール、ジグビー（Ｚｉｇｂｅｅ）モジュールなど、他の近距離通信モジュールと無線ＬＡＮモジュールを含んでもよい。
【００５６】
ディスプレイ部は、制御部の演算結果を表示する。このような演算結果は、ＧＵＩ方式で表示されてもよい。ディスプレイ部は、様々なディスプレイオブジェクトを表示する構成である。ディスプレイ部は、有機発光ダイオード（ＯＬＥＤ：Ｏｒｇａｎｉｃ  Ｌｉｇｈｔ  Ｅｍｉｔｔｉｎｇ  Ｄｉｏｄｅｓ）、液晶ディスプレイパネル（Ｌｉｑｕｉｄ  Ｃｒｙｓｔａｌ  Ｄｉｓｐｌａｙ  Ｐａｎｅｌ：ＬＣＤ  Ｐａｎｅｌ）、プラズマディスプレイパネル（Ｐｌａｓｍａ  Ｄｉｓｐｌａｙ  Ｐａｎｅｌ：ＰＤＰ）、ＶＦＤ（Ｖａｃｕｕｍ  Ｆｌｕｏｒｅｓｃｅｎｔ  Ｄｉｓｐｌａｙ）、ＦＥＤ（Ｆｉｅｌｄ  ＥｍｉｓｓｉｏｎＤｉｓｐｌａｙ）、ＥＬＤ（Ｅｌｅｃｔｒｏ  Ｌｕｍｉｎｅｓｃｅｎｃｅ  Ｄｉｓｐｌａｙ）など、様々なディスプレイ技術で実現することができる。また、フレキシブルディスプレイ（ｆｌｅｘｉｂｌｅ  ｄｉｓｐｌａｙ）、透明ディスプレイ（ｔｒａｎｓｐａｒｅｎｔ  ｄｉｓｐｌａｙ）などで実現することができるのであろう。
【００５７】
インターフェース部は、ユーザからの入力を受信する。インターフェース部は、ボタン型の入力部、タッチスクリーン、キーボード又はマウスなどのような入力装置を含んでもよい。例えば、タッチスクリーンは、ディスプレイ部の上面に形成され、ユーザのタッチを介して入力を受信してもよい。ただし、本発明がこれに限定されることはない。
【００５８】
図２は、一実施形態に係るメッセンジャーアプリケーションの動作方法を説明するためのフローチャートである。
【００５９】
図２を参照すると、ステップＳ２１０〜Ｓ２２０は、図１を参照して前述したユーザ端末によって実行される。図１に示す説明は図２にも適用可能であるため、重複する内容の説明は省略する。
【００６０】
ステップＳ２１０において、メッセンジャーアプリケーションは、サーバからプロフィールビューを介して表示される動画を登録した少なくとも１つの第１アカウントのリストを受信する。前述のように、プロフィールビューを介して表示される動画が登録されることは、プロフィールビューの背景に動画を登録する場合だけではなく、プロフィールビューを介してメッセージングサービスから提供するアカウントの掲示空間に動画を登録する場合などを包括的に含む概念として理解されてもよい。
【００６１】
少なくとも１つの第１アカウントのリストは、少なくとも１つの第１アカウントそれぞれの識別情報（例えば、電話番号あるいはＩＤなど）、少なくとも１つの第１アカウントそれぞれに対応し、動画が登録されたことを指示する情報（例えば、事前に約束されたフラグビットなど）、及び少なくとも１つの第１アカウントそれぞれのプロフィールビューを介して露出される動画に関する情報のうち少なくとも１つを含んでもよい。
【００６２】
一実施形態によれば、サーバは、予め決定された時間区間内に登録された動画に限って推薦動作を行うことができる。この場合、あらかじめ推薦されたアカウントであっても、時間の流れにより予め決定された時間区間の条件に適しない状態になると、該当のアカウントが推薦リストから削除されてもよい。
【００６３】
ステップＳ２２０において、メッセンジャーアプリケーションは、インスタントメッセージングサービス内で第２アカウントと関わった少なくとも１つのリスト（例えば、友人リスト）と区別し、少なくとも１つの第１アカウントのリスト（例えば、友人の登録動画推薦リスト）を表示するリストビューを用いて少なくとも１つの第１アカウントを推薦する。
【００６４】
少なくとも１つの第１アカウントは、プロフィールビューを介して露出される動画が登録された単一アカウント、又は複数のアカウントを含む概念として理解されてもよい。以下、説明の便宜のために、第１アカウントは単一アカウントである場合を仮定して実施形態を説明するが、下記の実施形態は、第１アカウントが複数のアカウントを含む場合にも実質的に同一に適用されてもよい。例えば、第１アカウントが複数のアカウントを含んでいる場合、複数のアカウントそれぞれに対応して下記の単一アカウントの実施形態が適用されてもよい。
【００６５】
例えば、メッセンジャーアプリケーションは、リストビュー内に指定されている領域（例えば、推薦領域）を用いてプロフィールビューの背景が動画に設定された第１アカウントをユーザに推薦することができる。リストビューは、複数のリスト元素を含む。推薦領域は、リストビューに含まれた第１タイプのリスト元素（例えば、一般リスト元素）とは区別される第２タイプのリスト元素（例えば、推薦用リスト元素）を含んでもよい。リストビューは、第２アカウントに関連する他のアカウント（例えば、友人アカウント）を一般リスト元素を用いて表示する。推薦用リスト元素は、一般リスト元素とは区別されるインターフェースを提供し、例えば、１つ又はそれ以上の動画登録アカウントを推薦するインターフェースを提供することができる。
【００６６】
ここで、「プロフィールビューの背景が動画に設定」されることは、プロフィールビューの背景が最初に動画に設定される場合、及び予め設定された静止映像から動画に切り替えられる場合のみならず、予め設定された動画から新しい動画に切り替えられる場合まで含むものとして理解される。
【００６７】
また、メッセンジャーアプリケーションは、第１アカウントに含まれた推薦の友人が複数である場合、推薦の友人を整列し、整列結果に基づいて推薦の友人を表示することができる。
【００６８】
推薦の友人を整列する方式は、様々に決定されることができる。例えば、動画の登録された順に応じて推薦の友人が整列されてもよい。又は、推薦の友人と交換したメッセージに関する整列の順に応じて推薦の友人が整列されてもよい。推薦の友人と交換したメッセージに関する整列の順は、推薦の複数の友人と最近メッセージを交換した順、または推薦の友人と交換したメッセージ数による順などを含んでもよい。
【００６９】
また、メッセンジャーアプリケーションは、予め決定された数の友人を整列の順に応じて優先的に表示し、予め決定された数を超過する順番の友人の場合、ユーザの追加的な入力によって表示してもよい。推薦の友人の整列は、メッセンジャーアプリケーションで実行されてもよく、サーバによって実行されてメッセンジャーアプリケーションに伝えられてもよい。
【００７０】
また、メッセンジャーアプリケーションは、友人の登録動画推薦機能を活性化あるいは不活性化するオプションを提供することができる。友人の登録動画推薦機能が不活性化されている場合、メッセンジャーアプリケーションは、プロフィールビューの背景に動画を登録した友人を推薦する機能を提供しないことがある。また、友人の登録動画推薦機能が不活性化されている場合、ユーザ自身のプロフィールビューの背景に動画を登録しても、該当の内訳が他の友人に共有されないこともある。場合に応じて、友人の登録動画推薦機能を活性化させた状態でも、関係が制限された友人（例えば、遮断された友人）は推薦リストから除外されてもよい。また、友人の登録動画推薦機能に含まれている友人の動画を推薦される機能と、本人の動画を推薦する機能のうちの１つを選択的に不活性化してもよい。
【００７１】
プロフィールビューの背景として動画（ｖｉｄｅｏ）を登録してから、写真に変更した友人は、推薦リストから除外されてもよい。また、予め設定された等級未満の関係情報を有する友人端末、例えば、隠された友人、遮断された友人、アカウントが削除された友人、プロフィールを非公開にした友人などの場合でも、動画をプロフィールビューの背景として登録したか否かにかかわらず、推薦リストに含まれないことがある。
【００７２】
予め決定された時間区間内に複数の動画をプロフィールビューの背景として登録した友人の場合、最新登録動画を基準にして推薦されてもよい。
【００７３】
メッセンジャーアプリケーションは、友人リスト内の推薦領域に推薦された友人が選択される場合、設定された動画を背景に再生する友人のプロフィールビューを表示する。言い換えれば、プロフィールビューの背景領域でプロフィールビューの背景として登録した動画が再生されてもよい。又は、メッセンジャーアプリケーションは、友人リスト内の推薦領域に推薦された友人が選択される場合、設定された動画を再生する再生ビューを表示してもよい。
【００７４】
リストビュー（友人リスト）、及びプロフィールビューなどで表示される画面は、以下の図４を参照して詳細に説明される。
【００７５】
一実施形態によれば、メッセンジャーアプリケーションは、選択された友人によって登録された動画を背景に再生するプロフィールビューが表示される間に、方向入力（例えば、スワイプ入力）を受信する。方向入力は、予め決定された複数の方向のいずれか１つの方向に対応する。例えば、左側方向と右側方向が予め決定されているとき、方向入力は左側方向や右側方向のいずれか１つの方向にマッピングされることができる。
【００７６】
メッセンジャーアプリケーションは、方向入力に反応して、推薦リスト内の現在選択された友人と該当の方向に隣接している友人とを判別する。メッセンジャーアプリケーションは、推薦リスト内の方向入力によって判別された友人のプロフィールビューを表示する。例えば、左側方向のスワイプ入力が受信される場合、推薦リスト内の現在選択された友人よりも先に推薦された友人のプロフィールビューを表示してもよい。又は、右側方向のスワイプ入力が受信される場合、推薦リスト内の現在選択された友人よりも後で推薦された友人のプロフィールビューを表示してもよい。
【００７７】
メッセンジャーアプリケーションが推薦領域内に選択された友人のプロフィールビューの代わりに再生ビューを表示した場合、スワイプ入力に反応して選択された友人と隣接に推薦された友人により、登録された動画を再生する再生ビューが表示されてもよい。
【００７８】
実施形態に応じて、方向入力に反応して推薦リスト内で現在選択された友人と隣接している友人を判別する動作は、サーバによって実行されてもよい。
【００７９】
プロフィールビューの背景として登録された動画は、予め決定された条件が満たされる場合にプロフィールビューの背景領域で自動に繰り返して再生することができる。予め決定された条件は、例えば、自動繰り返し再生に対するユーザの設定や、ワイファイ網を用いてインターネットに接続中であるか否かに対する条件などを含んでもよい。予め決定された条件を満たさない場合、該当友人によって設定されたり、動画から自動に抽出される静止映像がプロフィールビューの背景領域に表示されてもよい。
【００８０】
図３は、一実施形態に係るサーバの動作方法を示すフローチャートである。
【００８１】
図３を参照すると、一実施形態に係るサーバは、ステップＳ３１０において、第１アカウントからプロフィールビューの背景に動画を登録する要求を受信する。サーバは、ステップＳ３２０において、第１アカウントのためのプロフィールビューの背景に該当動画を登録する。
【００８２】
サーバは、ステップＳ３３０において、第１アカウントのプロフィールビューとして登録された動画を他のユーザに推薦するため、第１アカウントに関連する少なくとも１つの第２アカウントを判別する。第１アカウントに関連することは、第１アカウントと友人関係にあるか、第１アカウントを購読していたり、少なくとも第１アカウントのプロフィールビューの背景として動画が登録されたことを推薦されてほしいという意思を明示的かつ暗黙的に明らかにした関係を意味する。
【００８３】
サーバは、ステップＳ３４０において、少なくとも１つの第２アカウントから第１アカウントの情報を送信する。先に説明したように、第１アカウントの情報は、第１アカウントの識別情報（例えば、電話番号あるいはＩＤなど）、第１アカウントのプロフィールビューの背景として動画が登録されたことを指示する情報（例えば、事前に約束されたフラグビットなど）、及び第１アカウントのプロフィールビューの背景として登録された動画のうち少なくとも１つを含んでもよい。
【００８４】
図４は、一実施形態に係るメッセンジャーアプリケーションの画面を説明するための図である。
【００８５】
図４を参照すると、一実施形態に係るメッセンジャーアプリケーションの友人リスト画面５１０は、友人として登録されたユーザの情報を見ることができる。アプリの友人リスト画面５１０は、予め決定された領域に友人の動画リスト領域５１１を含む。友人の動画リスト領域５１１は、動画をプロフィールビューの背景として登録した友人のプロフィール情報（あるいは、予め決定された時間区間内に動画をプロフィールビューの背景として登録した友人のプロフィール情報）が提供される領域５１２を含むことができる。図４において、友人の動画リスト領域５１１は、友人リスト画面５１０の中間部分に位置するものと図示したが、これに限定されることはない。
【００８６】
動画をプロフィールビューの背景として登録した友人端末がないときには、動画リスト領域５１１を表示しないか、友人端末のプロフィール情報が提供される領域５１２に友人端末のプロフィール情報の代わりに予め決定された案内バナーが提供されてもよい。
【００８７】
動画リスト領域５１１は、常に固定されてもよく、動画リスト領域５１１を隠してもよい。動画リスト領域５１１を隠す場合には、予め決定された表示、例えば赤色の点を表示してもよい。
【００８８】
動画リスト領域５１１は、動画登録領域をさらに含んでもよい。ユーザが動画登録領域を選択する場合、動画をユーザのプロフィールビューの背景に登録できるインターフェース（例えば、ポップアップ画面など）が提供されてもよい。又は、プロフィールビューを編集する編集ビューを提供し、ユーザが編集ビューを介して動画をプロフィールビューの背景に登録するように誘導してもよい。
【００８９】
友人端末のプロフィール情報が提供される領域５１２が選択される場合、選択された友人端末のプロフィールビュー画面５２０が提供されることができる。プロフィールビュー画面５２０は、プロフィールビューの背景領域５２３を含む。プロフィールビューの背景領域５２３では、プロフィールビューの背景として登録した動画が再生される。
【００９０】
予め決定された条件が満たされる場合には、プロフィールビュー画面５２０が進入するとき、動画が自動再生される。また、動画が自動で繰り返し再生されてもよい。
【００９１】
予め決定された条件を満たさない場合、プロフィールビュー画面５２０が進入したとき、動画が自動再生されず、ユーザによって予め設定されたり動画から自動に抽出された静止映像が表示される。
【００９２】
プロフィールビュー画面５２０は、再生ボタン領域５２１を含む。再生ボタン領域５２１は、動画を停止／再生できる再生ボタンと、再生時間の表示領域を含む。ｗｉ−ｆｉ環境だけで自動再生する条件を設定したユーザ端末の場合、再生可能な動画であることを表示することで、データネットワーク環境でも直接再生できるようにする。再生ボタンを選択するとき、一時停止ボタンに転換されてもよい。
【００９３】
プロフィールメインビュー画面５２０は、サウンド表示領域５２２を含んでいる。サウンド表示領域５２２は、サウンドのある動画のサウンド制御を行う領域であって、サウンド表示領域５２２をタップしてサウンドをｏｎ／ｏｆｆする。
【００９４】
プロフィールビューの背景領域５２３を選択する場合、動画ビューアー画面５３０が提供されることができる。動画ビューアー画面５３０では、プロフィールビューに含まれている他のアイテムは表示されず、動画が完全に再生することができる。
【００９５】
以上述した実施形態は、ハードウェア構成要素、ソフトウェア構成要素、又はハードウェア構成要素及びソフトウェア構成要素の組み合せで具現される。例えば、本実施形態で説明した装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、又は命令（ｉｎｓｔｒｕｃｔｉｏｎ）を実行して応答する異なる装置のように、１つ以上の汎用コンピュータ又は特殊目的コンピュータを用いて具現される。処理装置は、オペレーティングシステム（ＯＳ）及びオペレーティングシステム上で実行される１つ以上のソフトウェアアプリケーションを実行する。また、処理装置は、ソフトウェアの実行に応答してデータをアクセス、格納、操作、処理、及び生成する。理解の便宜のために、処理装置は１つが使用されるものとして説明する場合もあるが、当技術分野で通常の知識を有する者は、処理装置が複数の処理要素（ｐｒｏｃｅｓｓｉｎｇ  ｅｌｅｍｅｎｔ）及び／又は複数類型の処理要素を含むことが把握する。例えば、処理装置は、複数のプロセッサ又は１つのプロセッサ及び１つのコントローラを含む。また、並列プロセッサ（ｐａｒａｌｌｅｌ  ｐｒｏｃｅｓｓｏｒ）のような、他の処理構成も可能である。
【００９６】
ソフトウェアは、コンピュータプログラム、コード、命令、又はそのうちの一つ以上の組合せを含み、希望の通りに動作するよう処理装置を構成したり、独立的又は結合的に処理装置を命令することができる。ソフトウェア及び／又はデータは、処理装置によって解釈されたり処理装置に命令又はデータを提供するために、いずれかの類型の機械、構成要素、物理的装置、仮想装置、コンピュータ格納媒体又は装置、又は送信される信号波に永久的又は一時的に具体化することができる。ソフトウェアはネットワークに連結されたコンピュータシステム上に分散され、分散した方法で格納されたり実行され得る。ソフトウェア及びデータは一つ以上のコンピュータで読出し可能な記録媒体に格納され得る。
【００９７】
本実施形態による方法は、様々なコンピュータ手段を介して実施されるプログラム命令の形態で具現され、コンピュータ読み取り可能な記録媒体に記録される。記録媒体は、プログラム命令、データファイル、データ構造などを単独又は組み合せて含む。記録媒体及びプログラム命令は、本発明の目的のために特別に設計して構成されたものでもよく、コンピュータソフトウェア分野の技術を有する当業者にとって公知のものであり使用可能なものであってもよい。コンピュータ読み取り可能な記録媒体の例として、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械語コードだけでなく、インタプリタなどを用いてコンピュータによって実行される高級言語コードを含む。ハードウェア装置は、本発明に示す動作を実行するために１つ以上のソフトウェアモジュールとして作動するように構成してもよく、その逆も同様である。
【００９８】
上述したように実施形態をたとえ限定された図面によって説明したが、当技術分野で通常の知識を有する者であれば、上記の説明に基づいて様々な技術的な修正及び変形を適用することができる。例えば、説明された技術が説明された方法と異なる順で実行されるし、及び／又は説明されたシステム、構造、装置、回路などの構成要素が説明された方法と異なる形態で結合又は組み合わせられてもよいし、他の構成要素又は均等物によって置き換え又は置換されたとしても適切な結果を達成することができる。
【図１】
2020173805.tif 000003
【図２】
2020173805.tif 000004
【図３】
2020173805.tif 000005
【図４】
2020173805.tif 000006